(57)【特許請求の範囲】
【請求項１】
複数枚、製造される券であって、
前記券が、地紋と、前記地紋が形成された領域上に形成された情報とを有し、
前記複数枚の券のそれぞれの前記情報が、前記複数枚の券の各券ごとに、前記地紋が形成された領域内で、基準配置位置から位置を変えて配置されており、前記情報を含む券片を他の券の情報が配置されている領域の少なくとも一部に配置した場合、前記券片の地紋のパターンと前記他の券の地紋のパターンとが合致しないようにしたことを特徴とする券。
【請求項２】
前記複数枚の券にそれぞれ形成される前記地紋のパターンは、各券ごとに、少なくとも前記情報が形成される領域内で、前記地紋のパターンが異なるようにして形成されていることを特徴とする請求項１記載の券。
【請求項３】
前記複数枚の券にそれぞれ形成される前記地紋のパターンは、各券ごとに、相対的に位置がずれており、前記複数の券の間で地紋のパターンが合致しないようにして形成されていることを特徴とする請求項１又は２に記載の券。
【請求項４】
前記複数の券のそれぞれの前記情報は、複数の固有の情報から選択された少なくとも１つの情報であって、前記複数の固有の情報のうち、少なくとも１つの固有の情報ごとに、前記地紋が形成された領域の基準配置位置からずれる方向が決められていることを特徴とする請求項１乃至３のいずれか１項に記載の券。
【請求項５】
前記複数の券のそれぞれの前記情報は、複数の情報からなり、前記複数の情報の全ての情報が、前記複数枚の券の券ごとに、前記地紋が形成された領域内で相対的に異なった方向に一括して位置を変えて配置されていることを特徴とする請求項１乃至３のいずれか１項に記載の券。
【請求項６】
前記複数の情報の各情報がそれぞれの前記基準配置位置からずれている寸法が、１ｍｍ以下であることを特徴とする請求項４又は５に記載の券。
【請求項７】
前記複数の券のそれぞれの前記情報は、複数の固有の情報から選択された少なくとも１つの情報であって、前記複数の固有の情報の各情報ごとに、配置角度が前記基準配置位置に対して変わるようにして配置されていることを特徴とする請求項１乃至３のいずれか１項に記載の券。
【請求項８】
前記複数の券のうち、第１の券の前記地紋が形成された領域の前記情報の少なくとも一部を含む券片を、第２の券の前記情報が形成された領域の少なくとも一部に配置した場合、前記券片の地紋のパターンと前記第２の券の地紋のパターンとが一致しないようにしたことを特徴とする請求項１乃至７のいずれか１項に記載の券。
【請求項９】
前記第１の基材は、基紙又はプラスチックフィルムからなることを特徴とする請求項１乃至８のいずれか１項に記載の券。
【請求項１０】
母体基体上に区画された複数の領域に、地紋を形成する工程と、前記地紋が形成された領域上に情報を形成する工程と、前記複数の領域を前記母体基体から切断分離して複数枚の券を製造する工程とを有する券の製造方法であって、
前記情報を形成する工程において、前記複数の領域ごとに、前記情報を、前記地紋が形成された領域内で、基準配置位置から位置を変えて形成し、前記情報を含む券片を他の券の情報が配置されている領域の少なくとも一部に配置した場合、前記券片の地紋のパターンと前記他の券の地紋のパターンとが合致しないようにしたことを特徴とする券の製造方法。
【請求項１１】
前記地紋を形成する工程において、前記複数の領域のそれぞれの前記地紋を、少なくとも前記情報が形成される領域内で、前記地紋のパターンが異なるようにして形成することを特徴とする請求項１０に記載の券の製造方法。
【請求項１２】
前記地紋を形成する工程において、前記複数の領域にそれぞれ形成される前記地紋のパターンを、前記複数の領域ごとに、相対的に位置がずれるようにして形成することを特徴とする請求項１０又は１１に記載の券の製造方法。
【請求項１３】
前記情報を形成する工程において、前記複数の領域ごとに形成された前記情報は、複数の固有の情報から選択された少なくとも１つの情報からなり、前記複数の固有の情報のうち、少なくとも１つの固有の情報又は全ての各固有の情報ごとに、ずれて配置される方向を決め、該取り決めに基づいて、前記情報を前記地紋が形成された領域の基準配置位置からずらして形成することを特徴とする請求項１０乃至１２のいずれか１項に記載の券の製造方法。
【請求項１４】
前記情報を形成する工程において、前記情報は複数の固有の情報から選択された複数の情報からなり、前記複数の固有の情報の各固有の情報ごとに、前記各固有の情報がずれて配置される方向をそれぞれ取り決め、前記複数の情報のうちの少なくとも１つの情報の該取り決めに基づいて、前記複数の情報を各基準配置位置から同一の方向に一括してずらして形成することを特徴とする請求項１０乃至１２のいずれか１項に記載の券の製造方法。
【請求項１５】
前記複数の情報の各情報がそれぞれの前記基準配置位置からずれている寸法が、１ｍｍ以下であることを特徴とする請求項１３又は１４に記載の券の製造方法。
【請求項１６】
前記第１の基材は、基紙又はプラスチックフィルムからなることを特徴とする請求項１０乃至１５のいずれか１項に記載の券の製造方法。
【発明の詳細な説明】
【０００１】
【発明の属する技術分野】
本発明は券及び券の製造方法に係わり、さらに詳しくは、地紋を介して情報が形成された有価証券（株券、小切手又は手形など）やくじ券などの券及び地紋を介して情報が形成された有価証券（株券、小切手又は手形など）やくじ券などの券の製造方法に関する。
【０００２】
【従来の技術】
従来から、基材上に地紋が備えられ、この地紋を介して情報が形成された有価証券やくじ券などの券が知られている。
この地紋は券が偽造や改ざんされるのを防止するために設けられ、地紋上に形成された情報は、複数枚、製造されるある種類の券の全数にわたって、それぞれの地紋上の同じ位置に印字されている。
【０００３】
【発明が解決しようとする課題】
しかしながら、従来の券の情報は、複数の券の全数にわたって、地紋上の同じ位置に配置されているため、一方の券の情報の一部を含む券片を他の券の情報が配置された領域の一部分に貼り付けてた場合、お互いの地紋のパターンが合致する。
【０００４】
従って、例えば、情報が数字からなるくじ券においては、必要な数字をはずれ券の数字の中から選択して切り取り、この券片を当たり券に近い数字をもつはずれ券にお互いの地紋のパターンが合致し、かつ段差ができないように巧妙な技術を使って貼り付けてはずれ券を当たり券に改ざんされるおそれがある。
特に、巧妙な技術で改ざんされた券は、肉眼ではこの券が改ざんされたものがどうかを判定することすら困難になる場合が想定される。
【０００５】
以上のように、従来の券は券同士で切り貼りを行って改ざんされる場合、お互いの地紋のパターンが合致するので、比較的容易に改ざんされてしまうおそれがある。
本発明は上記の問題点を鑑みて創作されたものであり、改ざんされることを防止できる券及び券の製造方法を提供することを目的とする。
【０００６】
【課題を解決するための手段】
上記した課題は、図１に例示するように、複数枚、製造される券であって、前記券が、地紋１８と、前記地紋が形成された領域上に形成された情報２０とを有し、前記複数枚の券のそれぞれの前記情報２０が、前記複数枚の券の各券ごとに、前記地紋１８が形成された領域内で、基準配置位置から位置を変えて配置されており、前記情報を含む券片を他の券の情報が配置されている領域の少なくとも一部に配置した場合、前記券片の地紋のパターンと前記他の券の地紋のパターンとが合致しないようにしたことを特徴とする券によって解決される。
【０００７】
本発明によれば、複数枚の券のそれぞれの情報２０は、各券ごとに、地紋１８が形成された領域内でそれぞれ異なった位置に配置されていることになる。
本発明の券が、例えばくじ券に適用され、はずれ券同士で情報を貼り替えてはずれ券を当たり券に改ざんされる場合を想定してみる。
この場合、複数枚の券の各券ごとに、それぞれの情報２０が地紋１８のパターン上の少なくとも違う場所にそれぞれ配置されるようにすることにより、ある券の情報を含む券片を他の券の情報が配置されている領域の一部の位置に貼り付けて改ざんしようとしてもそれらの地紋のパターンが合致しないようにしている。
【０００８】
従って、券が改ざんされることを防止できるとともに、券が改ざんされた場合でも地紋のパターンが合致しているかどうかを確認することにより、改ざんされた券かどうかを容易に判定することができる。
また、上記した券において、前記複数枚の券の各券のそれぞれの前記地紋１８のパターンが、少なくとも前記情報２０が形成される領域内で、異なるようにして形成されていることを特徴とする。
【０００９】
これによれば、複数枚の券の全ての各券において、情報２０が形成される領域内で、地紋１８のパターンの例えばピッチが異なるようにして形成され、このピッチが異なったパターンの地紋上で情報の位置をそれぞれの券ごとに相対的に変えている。従って、上記のようにして券を改ざんしようとした場合、それぞれの情報の直下の地紋のパターンのピッチが確実にずれるようになるので地紋１８のパターンが合致することがない。
【００１０】
また、上記した券において、前記複数の券の各券のそれぞれの前記地紋１８のパターンは、相対的にずれており、前記複数の券の間で地紋１８のパターンが合致しないようにしたことを特徴とする。
本発明によれば、複数枚の券の各券ごとに、地紋１８上に情報２０がそれぞれ位置を変えて形成されているとともに、複数枚の券の間で、地紋１８のパターンがそれぞれ合致しないように、それぞれの地紋のパターンが相対的にずれるようにして形成されている。
【００１１】
つまり、複数の券のそれぞれの地紋は肉眼では同様の地紋のように視認されるが、実際には、それぞれの地紋を重ねてみると、地紋のパターンがお互いにずれて合致しないようになっている。
従って、券のある領域内で地紋１８が、元々、複数の券の間でそのパターンが合致しないようにずれているので、情報２０を複数の券の間で相対的にずらす寸法を比較的小さくした場合においても、情報２０の直下の領域のそれぞれの地紋１８のパターンが合致することがない。
【００１２】
その結果、情報２０がその基準配置位置からずれる寸法を小さくすることができるので、改ざんを防止するために情報２０が地紋１８上にそれぞれ相対的にずれて配置されていることすら分からなくなる。
また、上記した券において、前記複数枚の券のそれぞれの前記情報は、複数の固有の情報から選択された少なくとも１つの情報であって、前記複数の固有の情報のうち、少なくとも１つの固有の情報又は全ての各固有の情報ごとに、前記地紋が形成された領域の基準配置位置からずれる方向が決められていることを特徴とする。
【００１３】
通常、券が改ざんされる場合、券同士の異なった情報の間で切り貼りすることによって行われる。本発明は、これを確実に防止できるように工夫されたものである。例えば、複数の情報（２０ａ〜２０ｄ）が複数の固有の情報から選択されたものである場合、各固有の情報が基準配置位置からそれぞれ任意の方向にずれるように決められ、このずれる方向の取り決めに基づいて、複数の情報（２０ａ〜２０ｄ）が地紋が形成された領域の各基準配置位置からそれぞれずれて配置される。好ましい形態では、複数の券の間で、お互いに違う情報同士が地紋が形成された領域内で相対的に異なる位置に配置されるように、例えば、各固有の情報ごとにずれる方向を変えるなどしてずれる方向を取り決めればよい。
【００１４】
これにより、複数の券の間で、それぞれの異なる情報の直下の地紋のパターンが確実にずれていることになり、ある券の情報を切り貼りによって他の情報に改ざんじようとしても、お互いの地紋のパターンが合致することはないので、券が改ざんされるのを確実に防止することができるようになる。
なお、上記した図番、符号は発明の理解を容易にするために引用されたものであって、本発明を限定するものではない。
【００１５】
【発明の実施の形態】
以下、本発明の実施の形態について、添付の図面を参照しながら説明する。
（第１の実施の形態）
図１（ａ）は本発明の第１の実施の形態の券の製造方法の一部を示す概略平面図、図１（ｂ）の左側の図は第１の実施の形態の券のうちの一枚を例示する概略平面図、図１（ｂ）の右側の図は第１の実施の形態の券のうちのもう一枚を例示する概略平面図、図１（ｃ）は図１（ｂ）の左側の図のＩ−Ｉに沿った断面図、図２は本発明の第１の実施の形態の券が備える地紋を構成する基本地紋パターンの一部を示す部分平面図、図３は本発明の第１の実施の形態の券が備える情報がずれて配置される方向を取り決めた一例を示す平面図である。
【００１６】
まず、本発明の第１の本発明の実施の形態の券の製造方法を説明する。なお、本実施の形態では、券の一実施例としてくじ券を例示し、その製造方法を説明する。
図１（ａ）〜（ｃ）に示すように、まず、本実施の形態のくじ券になるロール状の基材１４ａを用意し、基材１４を引き出し、最終的に切断分離されて複数のくじ券になる基材１４の区画された複数の領域（２６〜２６ｅ・・・）にそれぞれ簡単な絵柄からなる下地層１６を印刷で形成する。後で説明するように、例えば、図１（ａ）の領域２６及び領域２６ａが切断分離されて、それぞれ図１（ｂ）の左側の図のくじ券３６及び図１（ｂ）右側の図のくじ券３６ａになる。基材１４ａとしては、基紙やプラスチックフィルムなどを使用することができる。
【００１７】
その後、図２に示すような、コンピュータの記憶装置などに記憶された基本地紋パターン１９から例えばＡ部を選択してこのＡ部の地紋をインクジェットプリンタで基材１４の区画された複数の領域（２６〜２６ｅ・・・）のくじ券の情報が印字される領域（図１（ｂ）の破線で区画された４つの領域（１２ａ〜１２ｄ）からなる領域１２に相当する領域）にそれぞれ印字して地紋１８を形成する。
【００１８】
なお、地紋１８を基材１４の区画された複数の領域（２６〜２６ｅ・・・）のそれぞれ全面にわたって形成してもよい。また、このような地紋１８の印刷版を作成して印刷で地紋１８を形成してもよい。
この基本地紋パターン１９は、円形模様の彩紋の一部分であって、地紋１８のパターンとしては、このような線のピッチ又は線の配置角度が基本地紋パターン１９内で異なるような地紋を用いるのが好ましい。すなわち、１枚のくじ券において、くじ券の情報がそれぞれ印字される４つの領域１２ａ〜１２ｄからなる領域１２内で地紋１８の模様を比較すると、それぞれの地紋１８の線のピッチ又は線の配置角度が異なるようにして地紋が形成されている。
【００１９】
次いで、くじ券の情報の一実施例であるくじ券の番号２０を基材１４の区画された複数の領域（２６〜２６ｅ・・・）の地紋１８が形成された領域にそれぞれ印字する。このとき、１枚のくじ券においては、図１（ｂ）示すように、くじ券の４つの領域（１２ａ〜１２ｄ）にくじ券の番号２０となる例えば４つの数字（２０ａ〜２０ｄ）が印字される。
【００２０】
本実施の形態のくじ券の特徴の一つは、この４つの数字が配置される位置が４つの領域１２ａ〜１２ｄのそれぞれの基準配置位置からずれて配置されている点にあるのでこれについて以下に詳細に説明する。なお、基準配置位置を、数字が配置されるそれぞれの領域の中心位置として説明する。
図３はくじ券の番号２０を構成する複数の固有の情報の一例である「０」〜「９」（３０ａ〜３０ｊ）までのそれぞれの数字が中心位置からずれて配置される方向を取り決めた一例を示す平面図である。
【００２１】
例えば、数字「０」（３０ａ）は中心位置から向かって左上側にずれた位置に配置されることを示しており、以下、「１」（３０ｂ）は上側に、「２」（３０ｃ）は右上側に、「３」（３０ｄ）は左側に、「４」（３０ｅ）はずれなしに、「５」（３０ｆ）は右側に、「６」（３０ｇ）は左下側に、「７」（３０ｈ）は下側に、「８」（３０ｉ）は右下側に、「９」（３０ｊ）は右側に、それぞれ、ずれた位置に配置されることを示している。
【００２２】
なお、それぞれ数字の配置位置を中心位置からずらす寸法は、数字が配置される各領域の中心位置から１ｍｍ以下にすることが好ましい。なぜならば、数字を１ｍｍを超えてずらして配置した場合、肉眼で数字の並びが不自然であることが視認される可能性があるので、偽造されたくじ券に間違われるおそれがあるからである。なお、各数字ごとに、ずらす寸法を変えるようにしてもよい。
【００２３】
このようにして、それぞれの数字がその中心位置からずれる方向やずれる寸法を予め取り決めておき、コンピュータの記憶装置などにフォント情報２１として登録しておく。
そして、基材１４の区画された複数の領域（２６〜２６ｅ・・・）内の図１（ｂ）の番号２０が印字される領域１２にそれぞれ相当する領域に、上記のフォント情報２１に従って、コンピュータに接続されたインクジェットプリンタ（図示せず）により数字（２０ａ〜２０ｄ）を印字する。インクジェットプリンタとして、例えば、ｓｃｉｔｅｘ社製の「ＶｅｒｓａＭａｒｋTMＳｙｓｔｅｍ」である「ＳＶ９５００」や「ＳＶ９３００」などを使用することにより、より高速に印字することができる。
【００２４】
図１（ｂ）には、このようにして基材１４上に地紋１８を介して数字（２０ａ〜２０ｄ）が印字された２枚のくじ券の数字の配置が示されている。なお、数字（２０ａ〜２０ｄ）を中心位置からずらした位置を分かりやすくするため、ずらす寸法を実際より大きくしてあり、また地紋１８を省略している。
図１（ｂ）の左側の図に示すように、くじ券３６の番号２０は数字（２０ａ〜２０ｄ）から構成される「３７４９」であって、上記のフォント情報２１に従って、「３」が中心位置から向かって左側に、「７」が下側に、「４」が中心位置に、「９」が右側にそれぞれずれて印字されていることが理解される。
【００２５】
また、図１（ｂ）の右側の図に示すように、このくじ３６ａ券の番号２０Ｉは数字（２０ｅ〜２０ｈ）で構成される「８６１５」であって、「８」が向かって右下側に、「６」が左下側に、「１」が上側に、「５」が右側に、それぞれ中心位置からずれて印字されていることが理解される。
このようにして、数字の種類ごとにその配置領域の中心位置からずれる方向を変えることにより、複数枚のくじ券の間で、異なった数字の間では中心位置から相対的に異なった方向にずれて配置され、同じ数字同士では中心位置から同じ方向にずれて配置される。なお、本実施の形態では、「５」と「９」が同じ右側にずれるようにしてあるが、「９」を例えば右側と右下側の中間の方向にずらすようにする方が好ましい。
【００２６】
次いで、スクラッチオフタイプのくじ券を製造する場合は、基材１４の区画された複数の領域（２６〜２６ｅ・・・）の番号２０が印字された４つの領域１２ａ〜１２ｄからなる領域１２に相当するそれぞれの領域に、番号２０を覆うようにして剥離層２２を形成し、剥離層２２上に番号２０を隠蔽するための隠蔽層２４を形成する。
【００２７】
次いで、基材１４の区画された複数の領域（２６〜２６ｅ・・・）を切断分離して複数のくじ券とする。このとき、例えば、基材１４の領域２６がくじ券３６になり、領域２６ａがくじ券３６ａになるようにして複数のくじ券を製造することができる。
以上により、本実施の形態のくじ券が完成する。
【００２８】
なお、本実施の形態では、「０」から「９」（３０ａ〜３０ｊ）のうち、「４」がずれないで中心位置に配置され、その他の数字が全て中心位置からずれるようにしたフォント情報２１を例示したが、これに限定されるものではなく、各数字をずらすか、又はずらさないかを任意に設定することができ、また、ずらす方向を各数字ごとに任意に設定することができる。
【００２９】
また、本実施の形態では、くじ券の情報として２つの数字列にそれぞれ２つの数字が配置された番号２０を例示したが、数字列や数字の個数はこれに限定されるものではなく、一つの数字からなるものでもよく、また、数字列や数字の個数をさらに増やした形態にしてもよい。
また、本実施の形態では、それぞれの数字が配置される基準配置位置として、数字が形成されるそれぞれの領域の中心位置を例示したが、これに限定されるものではなく、任意に設定した位置を基準配置位置とすればよいので、例えば、数字が形成される領域内の中心部からずれた位置としてもよい。
【００３０】
次に、本実施の形態のくじ券が、はずれ券同士でくじ券の数字を貼り替えてはずれ券を当たり券に改ざんされる場合を想定してみる。
図４（ａ）は図１（ｂ）の左側の図の券が備える情報を拡大した部分拡大平面図、図４（ｂ）は図１（ｂ）の右側の図の券が備える情報を拡大した部分拡大平面図、図４（ｃ）は図４（ｂ）の券の券片を図４（ａ）の券に貼りつけた様子を示す部分拡大平面図である。
【００３１】
まず、くじ券の数字（２０ａ〜２０ｄ）が印字された４つの領域（１２ａ〜１２ｄ）のうち、お互いの地紋の線のピッチや配置角度が同じ領域（例えば、図４（ａ）の「３」（２０ａ）の領域と図４（ｂ）の「８」（２０ｅ）の領域）同士の間で切り貼りを行って改ざんされる場合について説明する。
図４（ｃ）に示すように、図４（ｂ）の破線で囲まれた「８」（２０ｅ）の領域を切り取って、その券片を図４（ａ）の「３」（２０ａ）が配置された領域に「３」を覆うようにして貼り付けた場合、地紋１８の線のピッチ又は線の配置角度が、数字（２０ａ〜２０ｄ）が形成された領域１２内ばかりではなく、一つの数字が形成された領域（１２ａ〜１２ｄのうちの一つ）内でも異なっており、かつ「３」と「８」が配置領域の中心位置から異なった方向にずれて形成されているので、貼り付けられた「８」（２０ｉ）の部分の券片と貼り付けられた券とでそれらの地紋１８の線は合致しない。
【００３２】
すなわち、図４（ｃ）のＡ部及びＢ部に示すように、貼り付けた「８」（２０ｉ）の部分の券片の地紋と券片が貼り付けられた券の地紋とは、それぞれの地紋の線のピッチ及び線の配置角度が両方異なっているので地紋の線が合致しないことが理解される。
次に、くじ券の数字（２０ａ〜２０ｄ）がそれぞれ印字された４つの領域（１２ａ〜１２ｄ）のうち、違う領域（例えば、図４（ａ）の「４」の領域と図４（ｂ）の「５」の領域）同士の間で切り貼りを行う場合について説明する。
【００３３】
図４（ａ）の「４」の領域と図４（ｂ）の「５」の領域とは、元々、それぞれの下地の地紋の線のピッチや線の配置角度が異なり、かつ数字の配置位置もお互いにずれているので、図４（ｂ）の「５」の部分のみを切り取り、その券片を図４（ｂ）の「４」の領域に「４」を覆うようにして貼り付けてもお互いの地紋の線とは一致しないことが理解される。
【００３４】
また、図４（ｂ）の「５」の領域全体を切り取って、図４（ａ）の「４」の領域全体に貼り付けたとしても、その券片の地紋の線と図４（ａ）の「３」及び「９」の領域の地紋の線とは一致しないことが理解される。
以上のように、第１の実施の形態のくじ券によれば、複数枚のくじ券の間で数字を貼り替えてくじ券を改ざんしようとしても、お互いの地紋の線が合致しないようにしているので、改ざんされることを防止することができる。
【００３５】
また、改ざんされた場合であっても、券片と券片が貼り付けられた券との地紋の線が合致していないので改ざんされたくじ券であることを容易に判定することができるようになる。
〈第２の実施の形態）
第２の実施の形態が第１の実施の形態と異なる点は、第１の実施の形態では複数のくじ券の全数にわたって地紋の線のピッチが同一の位置に配置されるようにして地紋を形成したが、第２の実施の形態では、複数枚のくじ券のうち、所定の枚数の間で地紋の線のピッチを相対的にずらして形成することである。
【００３６】
まず、第２の実施の形態のくじ券の製造方法を説明する。
地紋を形成する工程以外は第１の実施の形態と同一であるので、これらの工程の詳細な説明を省略する。
第１の実施の形態と同様な方法で、基材１４の区画された複数の領域（２６〜２６ｅ・・・）に下地層１６を形成したあと、次のような方法で地紋１８を形成する。
【００３７】
まず、図１（ａ）の基材１４の区画された複数の領域（２６〜２６ｅ・・・）のうちの所定の数の領域に、それぞれの領域ごとに地紋１８の線のピッチが相対的にずれるようにして、地紋１８を印字又は印刷する。
この工程においては、次のような方法を用いる。図２に示すような、コンピュータの記憶装置に記憶された基本地紋パターン１９から、例えば、図１の基材１４の領域２６にはＡパターンを、領域２６ａにはＢパターンを、領域２６ｂにはＣパターンをという具合に、基本地紋パターン１９からお互いにずれた領域を選択し、基材１４の区画された複数の領域（２６〜２６ｅ・・・）のうち所定の数の領域の間で地紋１８同士の線のピッチが相対的にずれるようしてインクジェットプリンタで印字する。
【００３８】
このとき、くじ券を量産する場合、例えば、５０〜１００枚の単位内で各くじ券の間で地紋１８の線のピッチが相対的にずれるようにして形成することが好ましい。地紋１８の線のピッチを相対的にずらしたくじ券の枚数を増やせば増やすほど、複数のくじ券の間で地紋１８が合致しなくなることは言うまでもない。
次いで、第１の実施の形態と同様に、４つの数字（２０ａ〜２０ｄ）を地紋１８上に数字の種類ごとにずらす方向を変えて配置されるようにして印字する。
【００３９】
次いで、スクラッチオフタイプのくじ券を製造する場合は、数字（２０ａ〜２０ｄ）上に、剥離層２２及び隠蔽層２４を形成する。
次いで、基材１４の区画された複数の領域（２６〜２６ｅ・・・）を切断分離して複数枚のくじ券を製造する。
以上により、第２の実施の形態のくじ券が完成する。
【００４０】
第２の実施の形態のくじ券は、数字（２０ａ〜２０ｄ）が数字の種類ごとにずれる方向が異なって配置されいるばかりではなく、さらに、数字（２０ａ〜２０ｄ）の下地の地紋１８の線のピッチが複数のくじ券の各券の間で相対的にずれて配置されているので、第１の実施の形態のくじ券より、券片と券片が貼り付けられる券とで地紋が合致しなくなる。
【００４１】
また、複数のくじ券の間で、地紋同士もずれて配置されているので、数字（２０ａ〜２０ｄ）が中心位置からずれる寸法を第１の実施の形態より小さくすることができるようになり、くじ券に改ざん防止策が施されていることすら分からなくなる。
また、第１の実施の形態では、図４の破線で区画された４つの領域のうち、例えば、図４（ｂ）の「８」が配置された領域全体又は他の領域を含む領域にわたって切り取り、これと同じ領域に対応する図４（ａ）の「３」の領域に「３」を覆うようにして貼り付けて改ざんされる場合は、地紋が合致する可能性がある。
【００４２】
しかしながら、第２の実施の形態においては、複数のくじ券ごとに、番号２０，２０Ｉの下地の地紋の線のピッチもずらしているので、このようにして改ざんされる場合においても、お互いの地紋が合致することがない。
（第３の実施の形態）
図５（ａ）及び（ｂ）は第３の実施の形態の券を示す概略平面図である。
【００４３】
第３の実施の形態のくじ券が、第１及び第２の実施の形態のくじ券と異なる点は、数字の種類ごとに基準配置位置から異なる方向にずらすのではなく、複数枚のくじ券において、１枚のくじ券が備える全ての数字（くじ券の番号）をそれぞれ基準配置位置から一括して同じ方向にずらすことにある。
まず、第３の実施の形態のくじ券の製造方法を説明する。番号の形成工程以外は、第１の実施の形態と同一であるので、これらの工程の詳細な説明を省略する。
【００４４】
第１の実施の形態と同様な方法で、まず、基材１４上の区画された複数の領域（２６〜２６ｅ・・・）にそれぞれ下地層１６と地紋１８とを形成する。
その後、次のような方法で基材１４上の区画された複数の領域（２６〜２６ｅ・・・）に地紋１８を介してくじ券の番号をインクジェットプリンタで印字する。
【００４５】
図５（ａ）に示すように、くじ券３６ｂの番号２０ＩＩは４つの数字（２０ｊ〜２０ｍ）からなる「３７４５」であり、数字（２０ｊ〜２０ｍ）のうち、例えば右下の数字２０ｍに基づいて図３に示す数字がずれる配置の方向の取り決めに従って、数字（２０ｊ，２０ｋ，２０ｌ，２０ｍ）の全てを一括してそれぞれの配置領域の中心位置からそれぞれ同じ方向にずらす。
【００４６】
すなわち、くじ券３６ｂの右下の数字２０ｍは「５」であるので、図３に示す数字がずれる配置の方向の取り決めに従うと、右側にずらすことになり、「５」（２０ｍ）だけではなく他の数字（「３」（２０ｊ），「７」（２０ｋ），「４」（２０ｌ））も同様にこれに従って右側にずらして配置される。
また、図５（ｂ）に示すくじ券３６ｃにおいては、くじ券の番号２０ＩＩＩは数字（２０ｏ〜２０ｒ）からなる「２０８６」であり、右下の数字（２０ｒ）が「６」であるので、図３に示す数字がずれる配置の方向の取り決めに従うと、左下側にずらすことになる。そして、この取り決めに基づいて、全ての数字（「２」（２０ｏ），「０」（２０ｐ），「８」（２０ｑ），［６］（２０ｒ））が一括してそれぞれ左下側にずれて配置される。
【００４７】
このようにして、複数の数字（２０ｊ〜２０ｍ）のうちのある一つの数字のずれる方向やずれる寸法の取り決めに基づいて、複数の数字（２０ｊ〜２０ｍ）を一括してある同一方向にずらすことを取り決めて、コンピュータの記憶装置にフォント情報２１として記憶しておく。そして、この取り決めに基づいたコンピュータの指令によって、インクジェットプリンタで数字（２０ｊ〜２０ｍ）を中心位置から同一方向に一括してそれぞれずらして印字する。
【００４８】
このようにすることにより、複数枚のくじ券のうち、例えば、くじ券３６ｂの番号２０ＩＩとくじ券３６ｃの番号２０ＩＩＩとの配置位置を比較すると、お互いに異なった方向に番号が一括してずれて配置されることになる。
次いで、第１の実施の形態と同様に、スクラッチオフタイプのくじ券を製造する場合は、数字（２０ｊ〜２０ｍ）上に、剥離層２２及び隠蔽層２４を形成する。
【００４９】
次いで、基材１４の区画された複数の領域を切断分離して複数のくじ券を製造する。
以上により、第３の実施の形態のくじ券が完成する。
第３の実施の形態のくじ券によれば、くじ券の番号２０ＩＩ，２０ＩＩＩのうちのある一つの数字のずれる方向やずれる寸法の取り決めに基づいて、くじ券の番号２０ＩＩ，２０ＩＩＩが一括して各配置領域の中心位置からそれぞれ同一の方向にずれて配置される。
【００５０】
複数枚、製造されるくじ券において、それぞれのくじ券の間では、それぞれの複数の数字がお互いに異なった方向に一括してずれて配置されるくじ券が存在することになるので、それぞれのくじ券の個々の数字が地紋上の同一の位置に配置されなくなる。
従って、第１及び第２の実施の形態のくじ券と同様に、はずれ券同士で切り貼りをしてはずれ券を当たり券に改ざんしようとしても、お互いの地紋１８の線が合致しないので、くじ券が改ざんされることを防止することができる。
【００５１】
（第４の実施の形態）
図６は第４の実施の形態の券を示す概略平面図である。
第４の実施の形態が他の実施の形態と異なる点は、複数枚のくじ券のそれぞれの番号を構成する数字を回転させて配置するようにしたことにあるので、くじ券の番号を形成する工程以外の工程の説明は省略する。
【００５２】
まず、第４の実施の形態のくじ券を製造するためのフォント情報について説明する。
図３のフォント情報２１の変形例として、「０］から「９」までのそれぞれの数字ごとに、回転して配置される位置が異なるようにしてフォント情報を登録しておく。例えば、「０」をその中心を通る縦方向の軸を基準にして向かって右側に５°傾け、「１」をこれと同じ方向に１０°傾け、「２」をその中心を通る縦方向の軸を基準にして向かって左側に５°傾け、「３」をこれと同じ方向に１０°傾け、という具合にして、「０」から［９］の数字の回転して配置される位置がそれぞれ異なるようにしてフォント情報を作成してコンピュータの記憶装置に登録しておく。
【００５３】
このフォント情報に基いて、くじ券の番号２０ＩＶを構成する数字（４０ａ〜４０ｄ）をインクジェットプリンタでそれぞれが形成される地紋上の領域に印字する。
この結果、図６に示すように、くじ券３６ｄの番号「０１２３」（２０ＩＶ）のうち、「０」が向かって右側に５°、「１」が向かって右側に１０°、「２」は向かって左側に５°、「３」が向かって左側に１０°傾いて配置されることが理解される。図６では、説明の理解を容易にするため、それぞれの数字（４０ａ〜４０ｄ）は実際より大きな角度で回転して配置されている。
【００５４】
すなわち、くじ券の番号を構成するそれぞれの数字は、複数のくじ券の異なった数字の間では、異なった方向に回転するか、又は同じ方向に回転する場合はその配置角度を変えて、つまり、配置角度が相対的に変わるようにして配置される。
第４の実施の形態においても、他の実施の形態と同様に、くじ券の情報が地紋が形成された領域内で相対的に位置を変えて配置されていることになるので、くじ券の数字を切り貼りによって、改ざんしようとしても、下地の地紋の線が合致しないようになっている。
【００５５】
なお、本実施の形態において、それぞれの数字（４０ａ〜４０ｄ）を回転させるそれぞれの基本配置位置を複数のくじ券の間で同じ位置にしてもよいし、また、第１の実施の形態と組み合わせた形態、すなわち、それぞれの数字（４０ａ〜４０ｄ）をそれぞれの基準配置位置から違う方向にずらして配置し、その位置で数字（４０ａ〜４０ｄ）をそれぞれ回転させて配置してもよい。第１の実施の形態と組み合わせる場合、数字の下地の地紋の線が合致することがない。
【００５６】
また、１枚のくじ券においては、その番号を一括して同じ回転方向に回転して配置させ、複数のくじ券の間で、それぞれの番号が回転して配置される角度が相対的に異なるようにした形態にしてもよい。
以上、第１〜第４の実施の形態により、この発明の詳細を説明したが、この発明の範囲は上記実施の形態に具体的に示した例に限られるものではなく、この発明を逸脱しない要旨の範囲の上記実施の形態の変更はこの発明の範囲に含まれる。
【００５７】
例えば、券としてくじ券を例示したが、株券、小切手又は手形などの有価証券などの券にも適用することができる。また、券の情報として数字から構成される番号を例示したが、基材に印字又は印刷できるものであれば何でもよく、その券の用途に合わせて、金額、マーク、文字、図柄、模様、コメント文又は記号などを券の情報とすればよい。
【００５８】
また、発明の理解を容易にするため、地紋として、簡単な円状の曲線の一部分からなる彩紋を例示したが、より精密に線のピッチや線の配置角度を変えた複雑な花柄模様などを用いた方が好ましくい。また、地紋として、絵柄、文字、マーク、図柄又は記号などやこれらを組み合わせたものを用いてもよい。
また、第３及び第４の実施の形態のくじ券の地紋を第２の実施の形態の地紋のように、複数枚のくじ券の間で地紋の線のピッチを相対的にずらしたものを用いてもよい。
【００５９】
【発明の効果】
以上説明したように、本発明によれば、複数枚の券のそれぞれの情報は、各券ごとに、地紋が形成された領域内でそれぞれ異なった位置に配置されている。
すなわち、本発明の券は、複数枚の券の各券ごとに、それぞれの情報が地紋のパターン上の少なくとも違う場所にそれぞれ配置されるようにすることにより、ある券の情報を含む券片を他の券の情報が配置されている領域の一部の位置に貼り付けて改ざんしようとしてもそれらの地紋のパターンが合致しないようにしている。
【００６０】
従って、券が改ざんされることを防止できるとともに、券が改ざんされた場合でも地紋のパターンが合致しているかどうかを確認することにより、改ざんされた券かどうかを容易に判定することができる。
【図面の簡単な説明】
【図１】図１（ａ）は本発明の第１の実施の形態の券の製造方法の一部を示す概略平面図、図１（ｂ）の左側の図は本発明の第１の実施の形態の複数の券のうちの１枚を例示する概略平面図、図１（ｂ）の左側の図は本発明の第１の実施の形態の複数の券のうちのもう１枚を例示する概略平面図、図１（ｃ）は図１（ｂ）の左側の図のＩ−Ｉに沿った概略断面図である。
【図２】図２は本発明の第１の実施の形態の券が備える地紋を構成する基本地紋パターンの一部を示す部分平面図である。
【図３】図３は券の情報がずれて配置される方向を取り決めた一例を示す平面図である。
【図４】図４（ａ）は図１（ｂ）の左側の図の券が備えた情報を拡大した部分拡大平面図、図４（ｂ）は図１（ｂ）の右側の図の券が備えた情報を拡大した部分拡大平面図、図４（ｃ）は図４（ｂ）の券の券片を図４（ａ）の券に貼りつけた様子を示す部分拡大平面図である。
【図５】図５（ａ）及び（ｂ）は第３の実施の形態の券を示す概略平面図である。
【図６】図６は第４の実施の形態の券を示す概略平面図である。
【符号の説明】
１２：くじ券の番号が形成される領域
１２ａ〜１２ｄ：くじ券の番号を構成する数字が形成される各領域
１４：基材
１６：下地層
１８：地紋
１９：基本地紋パターン
２０ａ〜２０ｒ，４０ａ〜４０ｄ：数字
２１：フォント情報
２０，２０Ｉ，２０ＩＩ，２０ＩＩＩ，２０ＩＶ：くじ券の番号（情報）
２２：剥離層
２４：隠蔽層
２６〜２６ｅ：基材の区画された複数の領域
３６〜３６ｄ：くじ券
【図１】
0004685252.tif 000002
【図２】
0004685252.tif 000003
【図３】
0004685252.tif 000004
【図４】
0004685252.tif 000005
【図５】
0004685252.tif 000006
【図６】
0004685252.tif 000007